(57)【要約】【課題】  天井の意匠性の自由度を高めることができるとともに、鋼製ブレースの接合端部に負荷が集中することを防止できる小屋組み構造を提供する。【解決手段】小屋組み構造１は、棟部から互いに逆側の軒の方向に向かって延びる木製の一対の勾配梁２と、前記棟部から鉛直な下方に垂下する垂下部３と、それぞれの前記勾配梁２の下面と前記垂下部３の下端側面との間に架設される２本の鋼製ブレース４と、を備え、前記鋼製ブレース４は一端が前記勾配梁２の下面から突出した梁側固定部２３にピン接合するとともに、他端が前記垂下部３の下端側面から突出した垂下部側固定部３２にピン接合する。【選択図】図１
2020111914.tif 000002
【特許請求の範囲】
【請求項１】
棟部から互いに逆側の軒の方向に向かって延びる木製の一対の勾配梁と、
前記棟部から鉛直な下方に垂下する垂下部と、
それぞれの前記勾配梁の下面と前記垂下部の下端側面との間に架設される２本の鋼製ブレースと、を備え、
前記鋼製ブレースは一端が前記勾配梁の下面から突出した梁側固定部にピン接合するとともに、他端が前記垂下部の下端側面から突出した垂下部側固定部にピン接合することを特徴とすることを特徴とする小屋組み構造。
【請求項２】
前記梁側固定部は、前記勾配梁の軒側の端部下面から突出することを特徴とする請求項１に記載の小屋組み構造。
【請求項３】
前記梁側固定部は、前記勾配梁の長さ方向の中間部の下面から突出することを特徴とする請求項１に記載の小屋組み構造。
【請求項４】
前記垂下部側固定部は前記梁側固定部よりも高い位置に形成されることを特徴とする請求項２又は請求項３のいずれかに記載の小屋組み構造。
【請求項５】
前記垂下部側固定部は前記梁側固定部よりも低い位置に形成されることを特徴とする請求項２又は請求項３のいずれかに記載の小屋組み構造。
【請求項６】
前記垂下部の上端両側面にそれぞれ棟部梁受金物が固定され、
前記勾配梁の上端が当該棟部梁受金物に固定されることを特徴とする請求項１から請求項５のいずれかに記載の小屋組み構造。
【請求項７】
前記梁側固定部は、上部に前記勾配梁の下面に設けられたほぞ穴に挿入されて固定されるほぞパイプが形成されるとともに、下部に前記勾配梁から露出して形成され受孔が設けられた梁側プレートが形成され、
前記鋼製ブレースの端部に形成され固定孔が設けられたブレース端プレートと、
前記受孔及び前記固定孔に挿入されて、前記梁側プレート及び前記ブレース端プレートを回転可能に接合する接合具と、を更に備えることを特徴とする請求項１から請求項６のいずれかに記載の小屋組み構造。
【発明の詳細な説明】
【技術分野】
【０００１】
本発明は、建築物の屋根の支える小屋組み構造に関し、特に勾配を有する屋根を形成する小屋組み構造に関する。
【背景技術】
【０００２】
従来より、建築物の屋根を支える小屋組み構造として、部材の節点がピン接合になっており、それぞれの部材同士が三角形に組まれたトラス構造が用いられることがある（例えば特許文献１、２参照）。トラス構造は例えば長い木造の梁であっても両端のみで支持することができるので、柱のない大きな空間を形成する際に有効である。
【０００３】
このようなトラス構造を用いた小屋組み構造の中には、木製の勾配梁の下端同士をブレース（テンションロッド）で引き寄せることで三角形に組み付けて安定させる構造を用いたものもある（特許文献３参照）。この構造には、軽量であり、張力調整が容易であり、組立て作業が簡素化できるなどの利点がある。特許文献３の構造は、ブレースが脱落することを防止する為に、勾配梁の下端を貫通する貫通孔にブレースを挿入し、貫通孔の出口でブレース端部を終端具に固着している。
【先行技術文献】
【特許文献】
【０００４】
【特許文献１】特開平２−２７２１４２号公報
【特許文献２】特開２０１３−１３３６４２号公報
【特許文献３】特開２０１７−６６７３６号公報
【発明の概要】
【発明が解決しようとする課題】
【０００５】
しかし、特許文献３のような小屋組み構造は、鋼製ブレースの端部が貫通孔に挿入される構成であるので、貫通孔と鋼製ブレースの軸方向が僅かでもずれると、鋼製ブレースの貫通孔から突き出す部分が折れ曲がる問題があり、勾配梁の施工精度や貫通孔の加工精度を高くする必要があるとともに、屋根材の荷重などによる貫通孔の変位によって、鋼製ブレースの端部に負荷が集中する問題がある。また、建築物の天井には長尺な鋼製ブレースを水平に架け渡すことになるので、例えばあらわしの構造とした場合に天井の意匠性を高めることが困難であるなど、小屋裏及び天井の意匠の自由度に問題がある。
【０００６】
そこで、本発明は、天井の意匠性の自由度を高めることができるとともに、鋼製ブレースの接合端部に負荷が集中することを防止できる小屋組み構造を提供することを目的とする。
【課題を解決するための手段】
【０００７】
本発明の小屋組み構造は、棟部から互いに逆側の軒の方向に向かって延びる木製の一対の勾配梁と、前記棟部から鉛直な下方に垂下する垂下部と、それぞれの前記勾配梁の下面と前記垂下部の下端側面との間に架設される２本の鋼製ブレースと、を備え、前記鋼製ブレースは一端が前記勾配梁の下面から突出した梁側固定部にピン接合するとともに、他端が前記垂下部の下端側面から突出した垂下部側固定部にピン接合することを特徴とする。
【０００８】
本発明の小屋組み構造は、前記梁側固定部は、前記勾配梁の軒側の端部下面から突出することを特徴としている。
【０００９】
本発明の小屋組み構造は、前記梁側固定部は、前記勾配梁の長さ方向の中間部の下面から突出することを特徴としている。
【００１０】
本発明の小屋組み構造は、前記垂下部側固定部は前記梁側固定部よりも高い位置に形成されることを特徴としている。
【００１１】
本発明の小屋組み構造は、前記垂下部側固定部は前記梁側固定部よりも低い位置に形成されることを特徴としている。
【００１２】
本発明の小屋組み構造は、前記垂下部の上端両側面にそれぞれ棟部梁受金物が固定され、前記勾配梁の上端が当該棟部梁受金物に固定されることを特徴としている。
【００１３】
本発明の小屋組み構造は、前記梁側固定部は、上部に前記勾配梁の下面に設けられたほぞ穴に挿入されて固定されるほぞパイプが形成されるとともに、下部に前記勾配梁から露出して形成され受孔が設けられた梁側プレートが形成され、前記鋼製ブレースの端部に形成され固定孔が設けられたブレース端プレートと、前記受孔及び前記固定孔に挿入されて、前記梁側プレート及び前記ブレース端プレートを回転可能に接合する接合具と、を更に備えることを特徴としている。
【発明の効果】
【００１４】
本発明の小屋組み構造によると、鋼製ブレースの両端がそれぞれピン接合されているので、鋼製ブレースの接合端部に曲げモーメントが発生することがなく、小屋組み構造を明快なものとすることができる。また、下弦材を鋼製ブレースとすることで、小屋組み構造を比較的軽量で、組立て作業が容易なものとすることができる。また、鋼製ブレースが垂下部を挟んで２つに分かれることで、鋼製ブレースの配置の自由度を高めることができ、天井の意匠性を高めることができる。
【００１５】
本発明の小屋組み構造によると、梁側固定部が、勾配梁の軒側の端部下面から突出しているので、勾配梁の全体を上弦材とし、鋼製ブレースを下弦材とする大きなトラス構造とすることができるので、より安定した小屋組み構造とすることができる。
【００１６】
本発明の小屋組み構造によると、梁側固定部は、勾配梁の長さ方向の中間部の下面から突出するので、トラス構造を比較的小さな三角形とすることができ、天井の意匠の自由度を高めることができる。
【００１７】
本発明の小屋組み構造によると、垂下部側固定部は梁側固定部よりも高い位置に形成されるので、２つの鋼製ブレースが垂下部に向かって上方に傾斜する山型に配置されることとなる。したがって、小屋組み構造の下方に形成される空間から見上げると天井が高くなった印象となり、鋼製ブレースによる圧迫感を低減させることができる。
【００１８】
本発明の小屋組み構造によると、垂下部側固定部は梁側固定部よりも低い位置に形成されるので、２つの鋼製ブレースが垂下部に向かって下方に傾斜する谷型に配置されることとなる。したがって、小屋組み構造の下方に形成される空間から見上げると鋼製ブレースが勾配梁と異なる方向に傾斜していることで、鋼製ブレースを水平に配置した場合に比べて、天井を変化のある印象とすることができる。
【００１９】
本発明の小屋組み構造によると、垂下部の上端両側面にそれぞれ棟部梁受金物が固定されて勾配梁の上端が固定されるので、垂下部及び一対の勾配梁の上端を互いに接合することができる。これにより、一対の勾配梁、垂下部、及び２つの鋼製ブレースを地上で組み合わせてトラス構造を形成した後で、クレーン等で当該トラス構造を持ち上げて、小屋組み構造を施工することができ、高所作業を減らし施工性を向上させることができる。
【００２０】
本発明の小屋組み構造によると、梁側固定部は、上部に勾配梁の下面に設けられたほぞ穴に挿入されて固定されるほぞパイプが形成されるとともに、下部に勾配梁から露出して形成され受孔が設けられた梁側プレートが形成された固定金具と、鋼製ブレースの端部に形成され固定孔が設けられたブレース端プレートと、を接合具によって回転可能に接合するので、木製の勾配梁と鋼製ブレースとを回転可能にピン接合することができる。
【図面の簡単な説明】
【００２１】
【図１】第一実施形態の小屋組み構造の全体構成を示す省略斜視図。
【図２】第一実施形態の小屋組み構造の全体構成を示す省略正面図。
【図３】第一実施形態の小屋組み構造の垂下部の周辺の構造を示す拡大図。
【図４】第一実施形態の小屋組み構造の勾配梁の軒側の端部の構成を示す拡大図。
【図５】第一実施形態の小屋組み構造の施工方法の一例を示す省略斜視図。
【図６】第二実施形態の小屋組み構造の全体構成を示す省略正面図。
【図７】第三実施形態の小屋組み構造の全体構成を示す省略正面図。
【発明を実施するための形態】
【００２２】
〔第一実施形態〕
以下、本発明の第一実施形態の小屋組み構造１について、各図を参照しつつ説明する。第一実施形態の小屋組み構造１は、例えば講堂やホールなどの屋内に柱のない大空間が必要な建築物の構造であり、屋根が切り妻形状となっている建築物の小屋組み構造１である。なお、建築物は例えば集合住宅や戸建住宅などの住宅であってもよく、柱を設ける屋内の柱を減らすことで、間仕切壁などを自由に配置することができる。
【００２３】
小屋組み構造１は、図１に示すように、棟部から互いに逆側の軒の方向に向かってそれぞれ延びる一対の勾配梁２と、棟部から鉛直な下方に垂下する垂下部３と、それぞれの勾配梁２の下面と垂下部３の側面の下端との間に架設される２本の鋼製ブレース４と、を備えており、これら勾配梁２、垂下部３、及び鋼製ブレース４からなるトラス構造体５が、軒側に形成された柱の柱頭６又は軒桁７の間に例えば２ｍ間隔で複数架設される構造である。本実施形態においては一方の軒側の柱頭６と他方の軒側の柱頭６との間にトラス構造体５が架設されている。一方の軒の柱と他方の軒の柱との間の距離は１０ｍであり、これら２本の柱の間に、鉛直な材が設けられないことにより、小屋組み構造１の下方の空間を大空間とすることができる。
【００２４】
勾配梁２は木製梁であり、棟側の端面及び軒側の端面にそれぞれ鉛直なスリット溝２０が形成されている。スリット溝２０は後述する棟部梁受金物３０及び軒部梁受金物６０がそれぞれ挿入可能とされている。また勾配梁２の側面の棟側の及び軒側の端部には当該勾配梁２を貫通するように梁固定孔２１が形成されており、これら梁固定孔２１はスリット溝２０に直交する。勾配梁２の軒側の端部は図２及び図４に示すように、軒側の柱頭６に接合されている。具体的には、柱頭６に固定された軒部梁受金物６０が勾配梁２の軒側の端部に形成されたスリット溝２０に挿入された状態で、梁固定孔２１にドリフトピンを挿入して、勾配梁２と軒部梁受金物６０とを固定し、勾配梁２の軒側の端部と柱頭６とを接合している。
【００２５】
また勾配梁２の軒側の下面にはほぞ穴２２が形成されている。ほぞ穴２２には梁側固定部２３に形成されたほぞパイプ２４が挿入されており、ほぞパイプ２４は勾配梁２を貫通する水平ピン２６によって勾配梁２に固定されている。梁側固定部２３はほぞパイプ２４とほぞパイプ２４と一体となった梁側プレート２５とを備えている。梁側プレート２５には貫通する貫通孔が形成されている。
【００２６】
垂下部３は、木製四角柱状である。垂下部３の下端は勾配梁２の下端よりも高い位置に配置されている。垂下部３の上端側の側面には、図２及び図３に示すように、棟部梁受金物３０がボルト及びナット３１で固定されている。棟部梁受金物３０が勾配梁２の棟側の端部に形成されたスリット溝２０に挿入された状態で、勾配梁２の梁固定孔２１に挿入されるドリフトピンによって、勾配梁２と棟部梁受金物３０が固定されて、垂下部３の上端側の側面と勾配梁２の棟側端部とが接合される。
【００２７】
また、垂下部３の下端側の両側面には、図３に示すように、垂下部側固定部３２がそれぞれ形成されている。垂下部側固定部３２は、垂下部３の下端側面に固定されるベース板３３と、ベース板３３から突出する突出プレート３４と、を備えており、両側のベース板３３が垂下部３を貫通するボルト及びナット３５によって固定されている。突出プレート３４には、貫通孔が形成されている。突出プレート３４は、勾配梁２の軒側の下面から突出している梁側プレート２５よりも高い位置に配置されている。
【００２８】
鋼製ブレース４は、鋼製の線材であり、両端にそれぞれブレース端プレート４０が形成されている。ブレース端プレート４０にはそれぞれ貫通する固定孔が形成されている。鋼製ブレース４は一端側のブレース端プレート４０が勾配梁２の下面に形成された梁側プレート２５に固定されるとともに、他端側のブレース端プレート４０が垂下部３の下端の側面に形成された突出プレート３４に固定される。具体的には、鋼製ブレース４の一端側で、梁側プレート２５に形成された貫通孔とブレース端プレート４０の固定孔とを重ね合わせて、ボルト及びナットからなる接合具４１によって梁側プレート２５とブレース端プレート４０とを揺動可能にピン接合している。また、鋼製ブレース４の他端側で、突出プレート３４に形成された貫通孔とブレース端プレート４０に形成された固定孔とを重ね合わせて、ボルト及びナットからなる垂下部接合具４２によって突出プレート３４とブレース端プレート４０とを揺動可能にピン接合している。鋼製ブレース４の長さ方向の中央にはテンションを調節するターンバックル４３が設けられている。
【００２９】
鋼製ブレース４の両端に形成されたブレース端プレート４０が、梁側プレート２５と、梁側プレート２５よりも高い突出プレート３４と、にそれぞれピン接合されることによって、２本の鋼製ブレース４はそれぞれ垂下部３側に向かって上り勾配に配置されることとなり、小屋組み構造１の中央に近づくにつれ鋼製ブレース４が高くなるように配置される。
【００３０】
このように、トラス構造体５の下弦材を鋼製ブレース４とすることで、小屋組み構造１を比較的軽量で、組立て作業が容易なものとすることができる。また、鋼製ブレース４が垂下部３を挟んで２つに分かれることで、鋼製ブレース４の配置の自由度を高めることができ、天井の意匠性を高めることができる。
【００３１】
また、梁側固定部２３の梁側プレート２５が、勾配梁２の軒側の端部下面から突出しているので、勾配梁２の全体を上弦材とし、鋼製ブレース４を下弦材とする大きなトラス構造体５とすることができ、より安定した小屋組み構造１とすることができる。そして、垂下部側固定部３２は梁側固定部２３よりも高い位置に形成されるので、２つの鋼製ブレース４が垂下部３に向かって上方に傾斜する山型に配置されることとなる。したがって、小屋組み構造１の下方に形成される空間から見上げると天井が高くなった印象となり、鋼製ブレース４による圧迫感を低減させることができる。
【００３２】
小屋組み構造１は、このような勾配梁２、垂下部３、及び鋼製ブレース４からなるトラス構造体５が、２ｍピッチで架設されている。そしてこれらのトラス構造体５の互いに隣接する垂下部３の間には棟木８が垂下部３の上端部の間に架設されている。隣接する垂下部３の互いに対向する面の上端にそれぞれ棟木受金物３６が固定されており、当該棟木受金物３６が棟木８の端部に形成されたスリット溝２０に挿入された状態で、ドリフトピンで固定されて接合されている。
【００３３】
以上のように、構成される小屋組み構造１を施工する際には、まず、地面上でトラス構造体５を完成させる。トラス構造体５を完成させる工程は、まず、２本の勾配梁２と、それぞれ垂下部３の上端側の側面に接合する。具体的には、垂下部３の上端側面に棟部梁受金物３０をボルト及びナットで固定し、当該棟部梁受金物３０を勾配梁２の棟側の端部に形成されたスリット溝２０に挿入して、勾配梁２の梁固定孔２１にドリフトピンを挿入して、勾配梁２の棟側端部と垂下部３の上端側の側面とを接合する。このとき垂下部３の棟部梁受金物３０が固定された側面と異なる側面には、それぞれ棟木受金物３６を固定する。
【００３４】
次に、勾配梁２の軒側の下面に形成されるほぞ穴２２に梁側固定部２３のほぞパイプ２４を挿入し、水平ピン２６を勾配梁２を貫通するように挿入することで梁側固定部２３を勾配梁２の下面から梁側プレート２５が突出するように固定する。また、垂下部３の下端側の側面に垂下部側固定部３２を垂下部３を貫通するボルト及びナットによって固定し、垂下部３の下端側の両側面から突出プレート３４を突出させる。
【００３５】
そして、梁側プレート２５と鋼製ブレース４のブレース端プレート４０とを接合具４１によりピン接合し、突出プレート３４と鋼製ブレース４のブレース端プレート４０とを垂下部接合具４２によってピン接合して、トラス構造体５を完成させる。
【００３６】
そして次に、トラス構造体５を図示しないクレーンで持ち上げて、柱頭６に固定されている軒部梁受金物６０を勾配梁２の軒側の端面に形成されているスリット溝２０に挿入し、梁固定孔２１にドリフトピンを挿入して、勾配梁２の軒側側面を柱頭６に接合し、トラス構造体５を柱頭６の間に架設する。
【００３７】
複数のトラス構造体５を柱頭６の間に架設すると、次に、棟木８を隣接するトラス構造体５の垂下部３の上端の間に架設する。具体的には、隣接する垂下部３の互いに対向する面の上端にそれぞれ固定さている棟木受金物３６が棟木８の端部に形成されたスリット溝８０に挿入された状態で、ドリフトピンを挿入して棟木８を垂下部３間に接合して、小屋組み構造１を完成させる。
【００３８】
このように予め地面近くでトラス構造体５を組み立ててからクレーンで吊り上げて柱頭６の間に架設させる施工手順とした場合には、高所での作業が低減されて、小屋組み構造１の施工作業の安全性を向上させることができる。
【００３９】
屋根材などから小屋組み構造１に加わる鉛直方向の荷重は、１対の勾配梁２に軸方向の圧縮力として伝わり、勾配梁２の軒側の端部を互いに離反する方向に変位させようとするが、２本の鋼製ブレース４が勾配梁２の軒側の端部を垂下部３側に引っ張っることでつり合うので、勾配梁２が変位するおそれがなく、２つの比較的長い距離を開けた柱の柱頭６の間にトラス構造体５を架設するだけで、その間に柱材を設けることなく、小屋組み構造１を設置することができ、下方に柱の無い大空間を設けることができる。そして、第一実施形態の小屋組み構造１によると、鋼製ブレース４の両端がそれぞれピン接合されているので、鋼製ブレース４の接合端部に曲げモーメントが発生することもなく、小屋組み構造１を明快なものとすることができる。小屋組み構造は、ピン接合されたトラス構造体５で形成されることで、木製の勾配梁２及び垂下部３には木材の繊維方向である圧縮又は引っ張り方向の荷重のみが加わり、せん断方向の荷重が加わることがなく、また、鋼製ブレース４には引っ張り方向の荷重のみが加わるので、小屋組み構造１の下方を柱材などで補強する必要がない構造とすることができる。
【００４０】
〔第二実施形態〕
小屋組み構造１は、上述のように、２本の鋼製ブレース４が垂下部３に向かって上方に傾斜する山型に配置されることで、小屋組み構造１の下方に形成される空間から見上げると天井が高くなった印象となり、鋼製ブレース４による圧迫感を低減させることができるものであるが、本発明の小屋組み構造１の実施形態はこれに限定されるものではない。次に、第二実施形態の小屋組み構造１について説明する。なお、第一実施形態の小屋組み構造１と同様の構成については同一の符号を付して説明を省略する。
【００４１】
第二実施形態の小屋組み構造１は、図６に示すように、棟部から互いに逆側の軒の方向に向かってそれぞれ延びる一対の勾配梁２と、棟部から鉛直な下方に垂下する垂下部３と、それぞれの勾配梁２の下面と垂下部３の下端側面との間に架設される２本の鋼製ブレース４と、を備えており、これら勾配梁２、垂下部３、及び鋼製ブレース４からなるトラス構造体５が、軒側に形成された柱の柱頭６又は軒桁７の間に例えば２ｍ間隔で複数架設される構造である。勾配梁２の構成は第一実施形態と同様である。
【００４２】
垂下部３は、木製四角柱状であり、その下端は勾配梁２の下端よりも低い位置に配置されている。なお、垂下部３の上端側の側面には、第一実施形態と同様に、棟部梁受金物３０がボルト及びナット３１で固定されており、勾配梁２の棟側の端部が接合されている。垂下部３の下端側の両側面には、第一実施形態と同様の垂下部側固定部３２がそれぞれ形成されている。垂下部側固定部３２の突出プレート３４は、勾配梁２の軒側の下面から突出している梁側プレート２５よりも低い位置に配置されている。
【００４３】
そして、鋼製ブレース４は、第一実施形態と同様に両端にそれぞれブレース端プレート４０が形成されており、鋼製ブレース４は一端側のブレース端プレート４０が勾配梁２の下面に形成された梁側プレート２５にピン接合されるとともに、他端側のブレース端プレート４０が垂下部３の下端の側面に形成された突出プレート３４にピン接合される。鋼製ブレース４の両端に形成されたブレース端プレート４０が、梁側プレート２５と、梁側プレート２５よりも低い突出プレート３４と、にそれぞれピン接合されることによって、２本の鋼製ブレース４はそれぞれ垂下部３側に向かって下り勾配に配置されることとなり、小屋組み構造１の中央に近づくにつれ鋼製ブレース４が低くなるように配置される。
【００４４】
本実施形態の小屋組み構造１によると、垂下部側固定部３２は梁側固定部２３よりも低い位置に形成されるので、２つの鋼製ブレース４が垂下部３に向かって下方に傾斜する谷型に配置されることとなる。したがって、小屋組み構造１の下方に形成される空間から見上げると鋼製ブレース４が勾配梁２と異なる方向に傾斜していることで、鋼製ブレース４を水平に配置した場合に比べて、天井を変化のある印象とすることができる。
【００４５】
〔第三実施形態〕
次に第三実施形態の小屋組み構造１について、図７を参照しつつ説明する。第一実施形態又は第二実施形態と同様の構成については同一の符号を付して説明を省略する。第三実施形態の小屋組み構造１は、勾配梁２のほぞ穴２２が勾配梁２の長さ方向の中間部の下面に形成されており、当該ほぞ穴２２には梁側固定部２３に形成されたほぞパイプ２４が挿入されて、水平ピン２６によって勾配梁２に固定されている。梁側固定部２３はほぞパイプ２４とほぞパイプ２４と一体となった梁側プレート２５とを備えている。なお、ここで勾配梁２の長さ方向の中間部とは、勾配梁２の軒側又は棟側の端部を除く部分のことであり、例えば、勾配梁２を長さ方向に３分割した場合に中間となる範囲である。
【００４６】
垂下部３は、第一実施形態と同様の構成であり、その下端は勾配梁２の下端よりも高い位置に配置されているとともに、垂下部３の下端は、勾配梁２の中間部よりも低い位置に配置されている。垂下部３の下端側の両側面には、第一実施形態と同様の垂下部側固定部３２がそれぞれ形成されている。垂下部側固定部３２の突出プレート３４は、勾配梁２の長さ方向の中間部の下面から突出している梁側プレート２５よりも低い位置に配置されている。
【００４７】
そして、鋼製ブレース４は、第一実施形態と同様に両端にそれぞれブレース端プレート４０が形成されており、鋼製ブレース４は一端側のブレース端プレート４０が勾配梁２の下面に形成された梁側プレート２５にピン接合されるとともに、他端側のブレース端プレート４０が垂下部３の側面の下端に形成された突出プレート３４にピン接合される。鋼製ブレース４の両端に形成されたブレース端プレート４０が、梁側プレート２５と、梁側プレート２５よりも低い突出プレート３４と、にそれぞれピン接合されることによって、２本の鋼製ブレース４はそれぞれ垂下部３側に向かって下り勾配に配置されることとなり、小屋組み構造１の中央に近づくにつれ鋼製ブレース４が低くなるように配置される。
【００４８】
勾配梁２の長さ方向の中間部の下面から突出することで、トラス構造体５の三角形を比較的小さな三角形とすることができ、鋼製ブレース４が張り渡されることによる天井の圧迫感を低減させて、天井の意匠の自由度を高めることができる。
【００４９】
なお、第一実施形態から第三実施形態における小屋組み構造１は、勾配梁２が互いに同じ角度で傾斜する切妻屋根形状であるが、鋼製ブレース４から垂下部３の下端側面の垂下部側固定部３２に加わる引張力がつり合うように形成されるものであれば、勾配梁２の傾斜角、又は、勾配梁２の長さが異なるように形成されるものであってもよい。
【００５０】
本発明の実施の形態は上述の形態に限ることなく、本発明の思想の範囲を逸脱しない範囲で適宜変更することができることは云うまでもない。
【産業上の利用可能性】
【００５１】
本発明に係る小屋組み構造１は、大空間を必要とする講堂やホールのような建築物としてとして好適である。
【符号の説明】
【００５２】
１      小屋組み構造
２      勾配梁
３      垂下部
４      鋼製ブレース
２３    梁側固定部
３２    垂下部側固定部
４０    ブレース端プレート
４１    接合具
【図１】
2020111914.tif 000003
【図２】
2020111914.tif 000004
【図３】
2020111914.tif 000005
【図４】
2020111914.tif 000006
【図５】
2020111914.tif 000007
【図６】
2020111914.tif 000008
【図７】
2020111914.tif 000009